(57)【要約】【課題】  安全で、針先への装着、針先からの取り外しが容易で、且つ製造コストを下げることが可能な釣り針用安全カバーを提供すること。【解決手段】  略筒状の部材１１の周面に、収容する釣り針の針先３１の配置及び本数に合わせて３個の針収容部１２，１３，１４を、放射状に配置した、軟質合成樹脂製の釣り針用安全カバーで、各針収容部は、針先を出し入れするための開口部１２ａ，１３ａ，１４ａをそれぞれ備え、針収容部の側壁１３ｃ，１４ｃの内面に、針先３１に係止して針収容部１３，１４から抜け出ないように保持する保持用突起１７を設け、針収容部１３，１４間の部材１１の周面箇所１１ａに、保持用突起１７を針先３１から外す方向に引っ張るための摘み片１８を設け、各開口部１２ａ，１３ａ，１４ａのうち、針先３１に近い箇所の縁部１２ｂ，１３ｂ，１４ｂの断面形状を鋭角に形成する。【選択図】      図１
0003113174.tif 000002
【実用新案登録請求の範囲】
【請求項１】
収容する釣り針の針先の配置及び本数に合わせて複数の針収容部を放射状に配置した可撓性の釣り針用安全カバーであって、
前記各針収容部は、前記針先を出し入れするための開口部をそれぞれ備え、前記複数の針収容部のうちの何れかの針収容部の側壁内面に、前記針先に係止して針収容部から抜け出ないように保持する保持用突起を設け、
前記針収容部間の側壁に、前記保持用突起を前記針先から外す方向に引っ張るための摘み片を設けてなることを特徴とする釣り針用安全カバー。
【請求項２】
請求項１に記載の釣り針用安全カバーにおいて、
前記各針収容部の前記開口部の縁部の断面形状を鋭角に構成してなることを特徴とする釣り針用安全カバー。
【考案の詳細な説明】
【技術分野】
【０００１】
本考案は、保管中の釣り針の針先が誤って指に刺さったり、衣服などに引っ掛かったりしないように保護する、釣り針用安全カバーに関する。
【背景技術】
【０００２】
ルアーのフック（釣り針）用カバーは、ルアーの保管時などにおいて、フックの針先で指などが怪我しないよう保護するもので、装着と取り外しが容易に行えるように工夫したカバーがこれまでにも種々提案されている。
【０００３】
例えば、複数の針先を有するフックの各針先を収容する複数の収容部を、針先の配置形状に合わせて放射状に配置したカバー（特許文献１参照）や、複数の針先全体を包み込むように収容する二分割可能に形成した略円盤状若しくは略球状の収容部（カバー構成部材）を有するカバー（特許文献２参照）等が提案されている。
【０００４】
前者のカバーでは、複数の収容部のうち、隣接する収容部どうしを互いに連接する側壁の下端を、カバーの底面に対してヒンジ部を介して起伏可能に設けることにより、該側壁を開閉可能にして、フックの装着時や取り外し時に側壁を開くように構成している。
【０００５】
また、後者のカバーでは、二分割に形成された一対の収容部片の一端どうしを、ヒンジ部を介して互いに開閉可能に連結する一方、収容部片の他端に収容部がみだりに開かないように閉じ状態を維持するためのロック部（係着部）を設け、フックの装着時や取り外し時にロック部を外して収容部片を互いに開くように構成している。
【０００６】
上述したカバーのうち、前者のカバーでは側壁を開くことにより、また後者のカバーでは一対の収容部片を開くことにより、いずれも針先への装着や針先からの取り外しが容易であるものの、構造が複雑で、このため製造コストを下げることが難しい課題があった。
【０００７】
【特許文献１】特開２００２−２３８４２８号公報
【特許文献２】特開２０００−３００１３８号公報
【考案の開示】
【考案が解決しようとする課題】
【０００８】
本考案は、上記事情に鑑みてなされたもので、安全で、針先への装着、針先からの取り外しが容易で、且つ製造コストを下げることが可能な釣り針用安全カバーを提供することを目的とする。
【課題を解決するための手段】
【０００９】
上記目的を達成する本考案の請求項１に記載の釣り針用安全カバーは、収容する釣り針の針先（例えば、図２中の符号３１を参照）の配置及び本数に合わせて複数の針収容部（例えば、図１中の符号１２，１３，１４を参照）を放射状に配置した可撓性の釣り針用安全カバーであって、各針収容部は、針先を出し入れするための開口部（例えば、図１中の符号１２ａ，１３ａ，１４ａを参照）をそれぞれ備え、複数の針収容部のうちの何れかの針収容部の側壁（例えば、図１中の符号１３ｂ，１４ｂを参照）内面に、針先に係止して針収容部から抜け出ないように保持する保持用突起（例えば、図１中の符号１７を参照）を設け、針収容部間の側壁（例えば、図１中の符号１１ａを参照）に、保持用突起を針先から外す方向に引っ張るための摘み片（例えば、図１中の符号１８を参照）を設けてなることを特徴とする。
前記各針収容部の開口部の縁部（例えば、図２中の符号１３ｂ，１４ｂを参照）の断面形状を鋭角に構成するようにしてもよい。
【考案の効果】
【００１０】
本考案の釣り針用安全カバーによれば、釣り針への装着時、針先を針収容部の開口部から押し込むことにより、針収容部内に挿入することができ、釣り針への装着が容易である。また、何れかの針収容部の側壁の内面には保持用突起が設けられているので、装着時、この保持用突起に針先が引っ掛かり、このため装着中は針先が針収容部からみだりに抜け出るのを阻止して安全である。釣り針から取り外すときには、摘み片により保持用突起を針先から外す方向に引っ張ることにより、保持用突起を設けた針収容部の側壁部分が撓んで保持用突起と針先との係止（引っ掛かり）が外れ、針先からカバーを容易に取り外すことができる。さらに、複数の針収容部を放射状に配置し、摘み片を設ける構成なので、構造が非常に簡単で、従来技術のようにヒンジ部などを設ける必要がなく、製造コストを下げることが可能となる。
【００１１】
また、各針収容部の開口部の縁部の断面形状を鋭角に構成する場合にあっては、釣り針の取り外しの際、誤って針収容部の開口部に指を掛けようとすると、鋭利な部分に触れたとの感じを与え、指を掛けないようにとの注意を喚起し、指に針先が刺さる事故を未然に防止することが可能である。
【考案を実施するための最良の形態】
【００１２】
以下、本考案の最良の実施の形態を、添付図面を参照して説明する。
【００１３】
図１は本考案の釣り針用安全カバーの一実施例を示す平面図、図２は図１の釣り針用安全カバーの斜視図、図３は図１の矢印Ｄ方向から見た側面図、図４は図１のＡ−Ａ線に沿う断面図、図５は図１のＣ−Ｃ線に沿う断面図、図６は図１の矢印Ｅ方向から見た側断面図である。
【００１４】
本実施態様の釣り針用安全カバー１０は、例えば、３本の針先３１が放射状に配置された釣り針３０用のカバーで、全体が軟質の合成樹脂から構成されていて可撓性を有しており、図１、図２などに示すように、略筒状の部材１１の周面に針先３１の配置に対応するように放射状に配置された３個の針収容部１２，１３，１４とを備える。
【００１５】
部材１１の周面には、図１に示すように、各針収容部１２，１３，１４の箇所に軸方向に延びる切欠部１５がそれぞれ形成されていて、この切欠部１５を介して部材１１の内部と各針収容部１２，１３，１４の内部とが互いに連通する。部材１１の一端開口部１６側から釣り針３０を挿入したとき、釣り針３０の中央軸部３２が、この一端開口部１６を介して部材１１内に収容され、また釣り針３０の各針先３１が、各針収容部１２，１３，１４の開口部１２ａ，１３ａ，１４ａ及び切欠部１５を介して各針収容部１２，１３，１４内に収容される。
【００１６】
各針収容部１２，１３，１４の針先３１を出し入れする開口部１２ａ，１３ａ，１４ａの部材１１から離れた縁部１２ｂ，１３ｂ，１４ｂは、その断面形状を鋭角に形成して、誤って縁部に指を掛けないように注意喚起するようにしてある。開口部１２ａ，１３ａ，１４ａは、釣り針３０を収容する際や取り出す際に針先３１が通過する箇所であり、特に縁部１２ｂ，１３ｂ，１４ｂは針先３１の先端近傍に位置する部分であり、誤ってこの縁部１２ｂ，１３ｂ，１４ｂに指をかけておくと、指に針先３１が刺さるおそれがあるのでこれを未然に防止するためである。
【００１７】
また、針収容部１２，１３，１４のうち、針収容部１３，１４の側壁１３ｃ，１４ｃの内面であって切欠部１５の近傍箇所には、図１に示すように、針先３１と係脱自在に係止する（着脱自在に引っ掛かる）保持用突起１７が一体に形成されており、針先３１が針収容部１３，１４からみだりに外れないように針先３１を針収容部１３，１４内に保持する作用をする。
【００１８】
部材１１の針収容部１３，１４間の周面箇所１１ａであって、一端開口部１６側には、部材１１の軸線と直交する水平方向に延びる摘み片１８が一体に形成されている。この摘み片１８を部材１１から離れる方向に引っ張ると、部材１１の針収容部１３，１４間の周面部分が同方向に撓み、これに引きずられて針収容部１３，１４の保持用突起１７が設けられた側の側壁１３ｂ，１４ｂ部分も同方向に撓み、この結果、保持用突起１７が針先３１から外れるようになる。
【００１９】
摘み片１８の表面及び裏面には、それぞれ引っ張る方向を示す矢印１８ａと「ひく」の文字（図示せず）が浮出し模様状に形成されていて、摘み片１８を引っ張る方向を表示する。
【００２０】
本実施態様の安全カバー１０は、上述したように構成されており、釣り針３０に装着する際には、例えば図２に示すように、釣り針３０の中央軸部３２が部材１１の一端開口部１６と対向する箇所に位置し、各針先３１が針収容部１２，１３，１４の開口部１２ａ，１３ａ，１４ａと対向する箇所に位置するようにして、釣り針３０を安全カバー１０側に押し付けるか或いは安全カバー１０を釣り針３０側に押し付けると、各針先３１は開口部１２ａ，１３ａ，１４ａなどを介して各針収容部１２，１３，１４内に収容される。
【００２１】
この際、針収容部１３，１４の側壁１３ｃ，１４ｃの内面には保持用突起１７があり、針先３１の進入を阻止しようとするものの、針先３１を押し込む力が保持用突起１７から側壁１３ｃ，１４ｃに作用して、側壁１３ｃ，１４ｃを外側に撓ませることから、何ら支障なく針先３１は針収容部１２，１３，１４内に収容される。なお、摘み片１８を水平の矢印１８ａの方向に引っ張って、側壁１３ｃ，１４ｃを予め外側に撓ませて保持用突起１７が針先３１に引っ掛からない状態にしておくと、釣り針３０への安全カバー１０の装着が容易となる。
【００２２】
各針先３１が対応する各針収容部１２，１３，１４内に収容された状態では、保持用突起１７により針収容部１３，１４内の針先３１は抜け出ないように保持されている。このため、これら針先３１と中央軸部３２で連結されている、保持用突起１７が設けられていない針収容部１２内の針先３１も針収容部１２内に保持されることになる。したがって、みだり針先３１が針収容部１２，１３，１４から抜け出るおそれがなく、安全である。
【００２３】
安全カバー１０を釣り針３０から取り外す際には、先ず摘み片１８を、矢印１８ａの方向に水平に引っ張って、保持用突起１７を針先３１から外した状態にして、この状態を維持しつつ、釣り針３０を安全カバー１０から引き抜く方向に引っ張るか或いは安全カバー１０を釣り針３０から引き離す方向に引っ張ることにより、各針先３１が針収容部１２，１３，１４の開口部１２ａ，１３ａ，１４ａから引き出される。
【００２４】
このように、先ず摘み片１８を水平方向に引っ張りつつ、釣り針３０或いは釣り針用安全カバー１０を垂直方向に引っ張るだけなので、非常に容易である。
【００２５】
各針収容部１２，１３，１４の開口部１２ａ，１３ａ，１４ａの縁部１２ｂ，１３ｂ，１４ｂは断面鋭角に形成されているので、これら縁部１２ａ，１３ａ，１４ａに指を掛けたとき、鋭利なものに触れたとの感じを与え、これが指を掛けないようにとの注意を喚起する。したがって、安全カバー１０の装着、取り外しの際に指に針先３１が刺さる事故を未然に防止することが出来る。
【００２６】
上記実施態様の釣り針用安全カバーによれば、上述したように釣り針３０への装着や釣り針３０からの取り外しが容易である上に、部材１１，針収容部１２，１３，１４及び摘み片１８からなり、構造が極めて簡単であり、従来技術のものに比して製造コストを大幅に下げることが可能である。
【００２７】
本考案の釣り針用安全カバーは上述した実施態様に示されたものに限定されるものではない。針収容部などの個数は収容する釣り針３０の針先３１の個数に合わせて設ければよい。
【００２８】
また、摘み片１８を水平方向に延びるように形成した場合を示しているが、これに限定されず、例えば斜め４５°に延びるように形成してもよい。このようにした場合、摘み片１８を斜め４５°の方向に引っ張ると、水平方向の分力と垂直方向の分力が生じ、安全カバー１０の取り外しが更に容易になる。
【００２９】
また、針収容部１２，１３，１４の側壁１２ｂ，１３ｂ，１４ｂの外面に指先注意などの表示を浮き出し模様状に形成しておくと、更に注意を喚起することが可能となり、好ましい。
【００３０】
さらに、各針収容部１２，１３，１４の開口部１２ａ，１３ａ，１４ａであって、部材から離れた箇所（針先３１に近い箇所）の縁部１２ｂ，１３ｂ，１４ｂの断面形状を鋭角にした場合を示したが、開口部１２ａ，１３ａ，１４ａの全ての縁部を断面鋭角に形成してもよい。
【図面の簡単な説明】
【００３１】
【図１】本考案の釣り針用安全カバーの一実施例を示す平面図である。
【図２】図１の釣り針用安全カバーの斜視図である。
【図３】図１の矢印Ｄ方向から見た釣り針用安全カバーの側面図である。
【図４】図１のＡ−Ａ線に沿う断面図である。
【図５】図１のＣ−Ｃ線に沿う断面図である。
【図６】図１の矢印Ｅ方向から見た釣り針用安全カバーの側断面図である。
【符号の説明】
【００３２】
１０  安全カバー                            １１  部材
１２，１３，１４  針収容部                  １５  切欠部
１２ａ，１３ａ，１４ａ  開口部              １６  一端開口部
１３ｂ、１４ｂ  縁部                        １７  保持用突起
１３ｃ、１４ｃ  側壁                        １８  摘み片
【図１】
0003113174.tif 000003
【図２】
0003113174.tif 000004
【図３】
0003113174.tif 000005
【図４】
0003113174.tif 000006
【図５】
0003113174.tif 000007
【図６】
0003113174.tif 000008